(57)【要約】本発明は、駆動機関（２）がクラッチ（４）を介してギヤ変速機（５）と結合され、クラッチは駆動システム（１）の駆動系を開閉するように作動する、駆動機関（２）およびギヤ変速機（５）を有する駆動システムの運転方法において、駆動系が開放されたとき、駆動機関（２）に対する回転数制御を操作（Ｓ３）するステップを含み、この場合、設定されるべきギヤ位置に依存した、調節されるべき目標回転数（ｎｓｏｌｌ）が回転数制御に提供され、ギヤ変速機（５）のニュートラルギヤ位置を離れている間に発生する変速機入力回転数（ｎＴｒａ＿ｉｎ）の勾配に依存して目標回転数（ｎｓｏｌｌ）を設定（Ｓ２）するステップを含む、駆動システムの運転方法に関する。【選択図】図１
2019512637.tif 000002
【特許請求の範囲】
【請求項１】
駆動機関（２）がクラッチ（４）を介してギヤ変速機（５）と結合され、クラッチは駆動システム（１）の駆動系を開閉するように作動する、駆動機関（２）およびギヤ変速機（５）を有する駆動システムの運転方法において、
駆動系が開放されたとき、駆動機関（２）に対する回転数制御を操作（Ｓ３）するステップであって、回転数制御に、設定されるべきギヤ段に依存した、調節されるべき目標回転数（ｎｓｏｌｌ）が提供されるステップと、
ギヤ変速機（５）のニュートラルギヤ位置を離れている間に発生する変速機入力回転数（ｎＴｒａ＿ｉｎ）の勾配に依存して目標回転数（ｎｓｏｌｌ）を設定（Ｓ２）するステップと、
を含む、駆動システムの運転方法。
【請求項２】
前記目標回転数（ｎｓｏｌｌ）は、駆動系の開放時でかつギヤ変速機（５）のニュートラルギヤ位置を離れる前に、少なくとも１つのギヤ段だけアップシフトしたときの変速比および車両速度、特にニュートラルギヤ位置の投入時の実際車両速度から得られる回転数に対応する中間回転数（Ｎ１）に設定される、請求項１に記載の方法。
【請求項３】
前記目標回転数（ｎｓｏｌｌ）は、ギヤ段のアップシフトが検出されたとき、ギヤ変速機（５）のニュートラルギヤ位置を離れた後に、変速機入力回転数（ｎＴｒａ＿ｉｎ）に、または変速機入力回転数（ｎＴｒａ＿ｉｎ）および中間回転数（Ｎ１）の最小値に設定される、請求項２に記載の方法。
【請求項４】
前記目標回転数（ｎｓｏｌｌ）は、ギヤ段のダウンシフトが検出されたとき、ギヤ変速機（５）のニュートラルギヤ位置を離れた後に、実際の変速機入力回転数（ｎＴｒａ＿ｉｎ）に設定される、請求項２または３に記載の方法。
【請求項５】
ニュートラルギヤ位置は、変速機入力と変速機出力の間にトルク結合が発生しないギヤ変速機（５）の位置に対応する、請求項１〜４のいずれか一項に記載の方法。
【請求項６】
前記変速機入力回転数（ｎＴｒａ＿ｉｎ）の勾配が所定の第１勾配しきい値を超えたとき、ギヤ段のダウンシフトが検出され、および／または、前記変速機入力回転数（ｎＴｒａ＿ｉｎ）の勾配が所定の第２勾配しきい値を下回ったとき、ギヤ段のアップシフトが検出される、請求項１〜５のいずれか一項に記載の方法。
【請求項７】
開放された駆動系において、第１信号により、機関回転数および変速機入力回転数（ｎＴｒａ＿ｉｎ）が同期化されていないことが信号され、および開放された駆動系において、第２信号により、機関回転数および前記変速機入力回転数（ｎＴｒａ＿ｉｎ）が同期化されていることが信号される、請求項１〜６のいずれか一項に記載の方法。
【請求項８】
第１信号は、特に第１カラーの１つの視覚指示を含み、および第２信号は、特に第２カラーの他のまたは同一視覚指示を含む、請求項７に記載の方法。
【請求項９】
駆動機関（２）がギヤ変速機（５）から切り離されている間、中断条件が存在したとき、特に駆動系が開放されている時間がしきい値を超えたとき、回転数制御が中断される、請求項１〜８のいずれか一項に記載の方法。
【請求項１０】
駆動系の開放直後にシリンダ充填が上昇される、請求項１〜９のいずれか一項に記載の方法。
【請求項１１】
駆動機関（２）がクラッチ（４）を介してギヤ変速機（５）と結合され、クラッチ（４）は駆動システム（１）の駆動系を開閉するように作動する、駆動機関（２）およびギヤ変速機（５）を有する駆動システムの運転装置において、
駆動系が開放されたとき、駆動機関（２）に対する回転数制御を操作するように形成され、回転数制御に、設定されるべきギヤ段に依存した、調節されるべき目標回転数（ｎｓｏｌｌ）が提供され、
ギヤ変速機（５）のニュートラルギヤ位置を離れている間に発生する変速機入力回転数（ｎＴｒａ＿ｉｎ）の勾配に依存して目標回転数（ｎｓｏｌｌ）を設定するように形成されている、
ことを特徴とする駆動システムの運転装置。
【請求項１２】
駆動機関（２）と、
ギヤ変速機（５）と、
それを介して駆動機関（２）がギヤ変速機（５）と結合可能なクラッチ（４）と、
駆動機関（５）を制御する機関制御ユニット（１０）と、
請求項１１に記載の装置と、を含む駆動システム（１）。
【請求項１３】
それがデータ処理ユニット上で実行されたとき、請求項１〜１０のいずれか一項に記載の方法を実行するプログラムコードを含むコンピュータプログラム。
【請求項１４】
請求項１３に記載のコンピュータプログラムが記憶されている、マシンが読取り可能な記憶媒体。
【発明の詳細な説明】
【技術分野】
【０００１】
本発明は、特に手動ギヤ変速機を有する自動車用駆動システムに関する。さらに、本発明は、手動ギヤ変速機によるギヤ段の切換の間における自動車用駆動システム内の駆動機関の制御方法に関する。
【背景技術】
【０００２】
自動車用駆動システムは、駆動機関により提供される駆動出力を自動車の被駆動車輪に最適に伝達可能にするために、一般にギヤ変速機を有する。ギヤ変速機のギヤ段、すなわちギヤ変速機の減速を切り換えるために、手動ギヤ変速機に対して、ドライバの希望トルクを駆動機関に設定するためのアクセルペダルを放し、駆動機関の被駆動系およびギヤ変速機を有する駆動系が切り離されるようにクラッチを切り離すためにクラッチペダルを操作し、かつ選択されるべきギヤ段の選択および投入後に、クラッチペダルの操作の解除によりクラッチを再び結合するように実行可能である。この場合、駆動機関の機関回転数は、クラッチの、ギヤ変速機に付属された側の回転数、いわゆる変速機入力回転数に適合される。クラッチ結合過程の間に駆動機関の機関回転数および変速機入力回転数が同一でない場合、例えば反動等のような不快な負荷切換応答が発生することがある。
【０００３】
文献独国特許出願公開第１０２０１００６３０４３号明細書から、駆動機関の回転数を適合させるために、ギヤ変速機のクラッチ切離し状態の間に回転数制御が操作される方法が既知である。駆動機関の回転数の適合は、駆動機関の回転数が、車両速度および投入ギヤ段に依存した中間回転数に制御されることにより実行される。中間回転数は、クラッチ切離し時の駆動機関の回転数と、ギヤ段の切換後のクラッチ結合後に予想される駆動機関の回転数との間に位置する。中間回転数は、クラッチ切離し時の駆動機関の初期回転数と、ギヤ段の切換後の変速機入力回転数との間の範囲内に設定される。
【先行技術文献】
【特許文献】
【０００４】
【特許文献１】独国特許出願公開第１０２０１００６３０４３号明細書
【発明の概要】
【０００５】
本発明により、請求項１に記載の手動ギヤ変速機を有する駆動システム内の駆動機関の運転方法並びに他の請求項に記載の対応装置および駆動システムが提供されている。
他の形態が従属請求項に記載されている。
【０００６】
第１態様により、駆動機関がクラッチを介してギヤ変速機と結合され、クラッチは駆動システムの駆動系を開閉するように作動する、駆動機関およびギヤ変速機を有する駆動システムの運転方法が提供されている。
【０００７】
この方法は、
駆動系が開放されたとき、駆動機関に対する回転数制御を操作するステップであって、回転数制御に、設定されるべきギヤ段に依存した、調節されるべき目標回転数が提供されるステップと、
変速機のニュートラルギヤ位置を離れている間に発生する変速機入力回転数の勾配に依存して目標回転数を設定するステップと、
を含む。
【０００８】
上記の方法の考え方は、シフト過程の間に、手動ギヤ変速機のギヤ段の切換後に設定される駆動機関の回転数が変速機入力回転数に設定されるように回転数制御を実行することにある。上記の方法は、クラッチの切離し状態において、回転数制御に対する目標回転数が、投入されるべきギヤ段の検出後に、変速機入力回転数に設定され、かつできるだけクラッチの結合前にドライバにより調節されるように、この目標回転数を決定することにより実行される。このために、ギヤ段の切換はニュートラルギヤセンサにより検出され、ニュートラルギヤセンサにより、手動ギヤ変速機内のギヤ段を離れたことが検出可能である。ニュートラルギヤを離れたとき、変速機の入力側の変速機入力回転数の評価により、このとき、ギヤ段がいずれの方向に変化されたか、すなわち、ギヤ段がアップシフトにより変化されたかまたはダウンシフトにより変化されたかが検出可能である。
【０００９】
駆動機関の機関回転数および変速機入力回転数が同期化されているように、機関回転数を変速機入力回転数に調節する過程の終了を視覚化することにより、自動車のドライバに、快適なクラッチ再結合がいつ可能であるかを知らせることが可能である。
【００１０】
さらに、目標回転数は、駆動系の開放時でかつギヤ変速機のニュートラルギヤ位置を離れる前に、少なくとも１つのギヤ段だけアップシフトした変速比および車両速度、特にニュートラルギヤ位置の投入時の車両速度から得られる回転数に対応する中間回転数に設定されてもよい。
【００１１】
目標回転数は、ギヤ段のアップシフトが検出されたとき、ギヤ変速機のニュートラルギヤ位置を離れた後に、変速機入力回転数に、または変速機入力回転数および中間回転数の最小値に設定されるように設計されていてもよい。
【００１２】
特に、目標回転数は、ギヤ段のダウンシフトが検出されたとき、ギヤ変速機のニュートラルギヤ位置を離れた後に、実際の変速機入力回転数に設定されてもよい。
一実施形態により、ニュートラルギヤ位置は、変速機入力と変速機出力の間にトルク結合が発生しないギヤ変速機の位置に対応してもよい。
【００１３】
変速機入力回転数の勾配が所定の第１勾配しきい値を超えたとき、ギヤ段のダウンシフトが検出されてもよく、および／または変速機入力回転数の勾配が所定の第２勾配しきい値を下回ったとき、ギヤ段のアップシフトが検出される。
【００１４】
一実施形態により、開放された駆動系において、第１信号により、機関回転数および変速機入力回転数が同期化されていないことが信号され、および開放された駆動系において、第２信号により、機関回転数および変速機入力回転数が同期化されていることが信号される。
【００１５】
特に、第１信号は、特に第１カラーの１つの視覚指示を含み、および第２信号は、特に第２カラーの他のまたは同一視覚指示を含んでもよい。
駆動機関がギヤ変速機から切り離されている間、中断条件が存在したとき、特に駆動系が開放されている時間がしきい値を超えたとき、回転数制御が中断されるように設計されていてもよい。
【００１６】
他の態様により、駆動機関がクラッチを介してギヤ変速機と結合され、クラッチは駆動システムの駆動系を開閉するように作動する、駆動機関およびギヤ変速機を有する駆動システムの運転装置が提供される。
【００１７】
この装置は、
駆動系が開放されたとき、駆動機関に対する回転数制御を操作するように形成され、回転数制御に、設定されるべきギヤ段に依存した、調節されるべき目標回転数が提供され、および
ギヤ変速機のニュートラルギヤ位置を離れている間に発生する変速機入力回転数の勾配に依存して目標回転数を設定するように、
形成されている。
【００１８】
他の態様により、
駆動機関と、
変速機と、
それを介して駆動機関が変速機と結合可能なクラッチと、
駆動機関を制御する機関制御ユニットと、
上記装置と、を含む駆動システムが提供されている。
【００１９】
以下に実施形態が添付図面により詳細に説明される。
【図面の簡単な説明】
【００２０】
【図１】図１は、自動車用駆動システムの概略図を示す。
【図２】図２は、手動ギヤ変速機内のギヤ段の一例示切換方法を説明する流れ図を示す。
【図３】図３は、機関回転数、変速機入力回転数、変速機入力回転数の勾配および内燃機関の充填の線図の概略図を示す。
【発明を実施するための形態】
【００２１】
図１に、自動車用駆動システム１の概略図が示されている。駆動システム１は、例えば内燃機関として形成されていてもよい駆動機関２を含む。駆動機関２の被駆動系３は手動で操作可能なクラッチ４を介して変速機５と結合されている。クラッチ４は例えば通常のディスククラッチとして形成され、かつ例えば機械的にクラッチペダル６と連結され、これにより、クラッチ４はクラッチペダル６を操作したときに切り離され、すなわち駆動系３は開放され、クラッチペダル６を放したときにクラッチが結合され、すなわち駆動系３は閉鎖する。
【００２２】
変速機５は、例えばシフトレバーのような操作ユニット７によりギヤ段の選択が実行可能なギヤ変速機である。シフトは、一般に、被駆動系３がトルクのない状態で、すなわちクラッチ４が切り離された状態で行われる。
【００２３】
変速機５の出力側で、被駆動系３は、提供されたトルクを車両の駆動車輪８に供給する。駆動トルクを被駆動軸３に提供するために、駆動機関２は機関制御装置１０により制御される。ドライバの希望トルクをアクセルペダル位置の指示の形で機関制御装置１０に設定する駆動トルクの設定は、アクセルペダル１１を介して行われる。ドライバの希望トルクに依存して駆動機関２は制御され、かつ駆動機関はドライバの希望トルクに対応する駆動トルクを提供する。
【００２４】
さらに、車両の車両速度を低下させるために、ブレーキシステム１３と連結されたブレーキペダル１２が設けられている。ブレーキペダル１２は、さらに、同様に、ブレーキ係合に関する情報がそこに存在するように機関制御装置１０と結合されている。
【００２５】
機関制御装置１０は、変速機入力回転数センサ１４を介して、ギヤ変速機５の入力側の回転数として変速機入力側回転数を検出可能である。
さらに、ギヤ変速機５またはその代わりに操作ユニット７は、ニュートラルギヤセンサ１５を有し、シフト過程によりギヤ段を離れた後にニュートラルギヤが投入されたとき、すなわち変速機５の入力側と出力側の間にトルク連結が存在しなくなったことがニュートラルギヤセンサにより決定可能である。さらに、ニュートラルギヤを再び離れたとき、特にドライバが設定されるべきギヤ段を操作ユニット７により選択したときに特に何が行われたかがニュートラルギヤセンサにより決定可能である。
【００２６】
シフト過程の間における制御において、機関回転数制御装置の出力トルクは計算された目標回転数に依存して決定されるので、回転速度制御に対する目標回転数の計算は重要である。以下に、回転数制御に対する目標回転数の確実かつ一義的な決定がそれにより提供されかつ同時に回転数制御ができるだけ良好に支援される方法が説明される。特に、以下に説明される方法において、駆動機関として内燃機関（オットー機関）から出発される。
【００２７】
図２に、ギヤ段の切換における駆動機関の運転方法を説明する流れ図が示されている。
ステップＳ１において、駆動系の摩擦結合遮断ないしはクラッチ操作が存在するか否かが検査される。それに対応して、これを示すクラッチ情報が発生される。摩擦結合遮断ないしはクラッチ操作は、クラッチペダル６がドライバにより操作されたか否かが検査されることにより決定可能である。
【００２８】
ドライバがクラッチペダル６を操作したことは、種々の方法で検出されてもよい。最も簡単な方法においては、クラッチペダル６に、クラッチペダル６の操作を信号するクラッチスイッチが設けられていてもよい。
【００２９】
その代わりにまたはそれに追加して、クラッチペダル６に、クラッチペダル６の位置を与えるクラッチペダルストロークセンサが設けられていてもよく、これにより、クラッチペダルストロークセンサにより検出されたクラッチペダル６の位置データの変化により、クラッチペダル６の操作ないしは摩擦結合遮断が推測可能である。
【００３０】
その代わりに、クラッチ４の操作がクラッチ滑りの決定により検出されてもよい。クラッチ４によるクラッチ滑りないしは摩擦結合遮断は、既知のように、機関回転数の、駆動車輪８の車輪速度に対する比から計算可能である。
【００３１】
その代わりにまたはそれに追加して、変速機入力回転数センサ１４により測定された、変速機５の入力側における変速機入力回転数が機関回転数と比較されてもよい。このために、摩擦結合遮断を検出するために、機関回転数が観測されてもよい。機関回転数がクラッチペダル６の操作直後においてクラッチペダル６の操作直前よりもより急速に上昇した場合、これにより摩擦結合遮断が検出される。
【００３２】
さらに、操作ユニット７がニュートラルギヤに対する位置に移動されかつこれがニュートラルギヤセンサ１５により検出されたとき、ニュートラルギヤセンサ１５により、摩擦結合遮断ないしはクラッチの切離しが検出可能である。
【００３３】
ステップＳ１において、摩擦結合遮断ないしはクラッチ操作が検出された場合（分岐Ｊａ）、方法はステップＳ２により継続される。他の場合、ステップＳ１に戻される。
ステップＳ２において目標回転数ｎＳｏｌｌが決定される。目標回転数ｎＳｏｌｌは、はじめに、ドライバが次に高いギヤ段にシフトしたときに設定される機関回転数に対応する所定の中間回転数Ｎ１に設定される。中間回転数Ｎ１は、クラッチの切離し前に既知の変速機変速比において投入されるべきギヤ段の検出および車両速度を介して計算可能である。この中間回転数Ｎ１は、所定の変速比に基づいて、クラッチ４の開放時点における機関回転速度より常に小さい。
【００３４】
ステップＳ３において、ほぼ同時に、回転数制御が操作される。したがって、はじめに、回転数制御は目標回転数ｎＳｏｌｌとして中間回転数Ｎ１を受け取る。目標回転数ｎＳｏｌｌはクラッチの切離しの直後においては駆動機関２の機関回転数ｎより小さいので、はじめは回転数制御が作動せず、駆動機関２は駆動トルクを提供せず、すなわち、駆動機関としての内燃機関の場合、これは燃料カットの運転状態にある。燃料カット状態においては、内燃機関内に燃料が噴射されない。
【００３５】
内燃機関としてのオットー機関の場合、追加トルクが設定されることなく、絞り弁の開放を介して、さらにシリンダ内への充填が上昇可能である。シリンダ内への充填の上昇は、機関回転数が急速に上昇されなければならない場合に、急速なトルク上昇を可能にする。
【００３６】
ステップＳ４において、手動ギヤ変速機５のニュートラルギヤを離れているか否かを検出するために、ニュートラルギヤセンサ１５が問い合わされる。ドライバが新しいギヤ段を選択したとき、操作ユニット７は常にニュートラルギヤ位置を通過する。ギヤ段を切り換えることなくはじめに選択されたギヤ段を再投入することをドライバが決定したときもまた同じである。したがって、ニュートラルギヤを離れたことにより新たなギヤ段が選択されたことが一義的に検出可能である。ニュートラルギヤを離れ、したがって新たなギヤ段が選択されたとき（分岐Ｊａ）、方法はステップＳ５により継続され、その他の場合は、回転数制御の操作を保持するためにステップＳ４に戻される。
【００３７】
ニュートラルギヤを離れた時点の情報により、変速機入力回転数の特性をより良好に示すことが可能である。ギヤ段の変化の方向、すなわちドライバがより高いギヤ段にシフトしたかまたはより低いギヤ段にシフトしたかは、変速機入力回転数の勾配により確実に決定可能である。したがって、ドライバがより低いギヤ段を選択しかつ設定したときに機関回転数を多少ともより高い目標回転数に制御するために必要となる遅れ時間を最小にするために、ギヤ段の変化の早い検出が重要である。ニュートラルギヤ位置を離れたことを検出することにより、新たなギヤ段が投入されたことが直接検出可能である。
【００３８】
ステップＳ５において、選択されたまたは投入されるべきギヤ段を決定するギヤ段検出が実行される。ギヤ段検出は、測定された変速機入力回転数の勾配に基づいている。変速機入力回転数の勾配が所定の第１勾配しきい値を超えたとき、ギヤ段のダウンシフトが検出される。ダウンシフトが検出された場合（分岐Ａ１）、ステップＳ６において、回転数制御に対する目標回転数ｎＳｏｌｌは直接実際の変速機入力回転数ｎＴｒａ＿ｉｎに設定される。これにより、目標回転数ｎＳｏｌｌは、さらに同期化されるべき目標回転数の値に対応する。
【００３９】
予め行われた内燃機関のシリンダ内への充填の上昇により、直ちに本質的により大きい機関トルクが提供可能であるので、機関回転数ｎは所定の目標回転数ｎＳｏｌｌにできるだけ急速に適合される。
【００４０】
ギヤ段のダウンシフトではなく、ギヤ段のアップシフトまたは保持が検出されたとき（分岐Ａ２）、すなわち、変速機入力回転数ｎＴｒａ＿ｉｎの経過の評価により得られた変速機入力回転数ｎＴｒａ＿ｉｎの勾配が０または所定の第２勾配しきい値より小さいとき、目標回転数ｎＳｏｌｌは実際の変速機入力回転数ｎＴｒａ＿ｉｎに設定されないで、中間回転数Ｎ１および変速機入力回転数ｎＴｒａ＿ｉｎからの最小値に設定される。これにより、変速機入力回転数ｎＴｒａ＿ｉｎが次に高いギヤ段に対する中間回転数Ｎ１を下回るまでの間、待機される。このときはじめて、目標回転数ｎＳｏｌｌが変速機入力回転数ｎＴｒａ＿ｉｎに等しく設定されかつ目標回転数ｎＳｏｌｌとしてこの機関回転数に制御される。さらに、アップシフトにおける回転数制御に対しては上昇された機関トルクは必要とされないので、予め上昇された内燃機関のシリンダ内の充填は直接再び低減される。
【００４１】
回転数制御に対して最初に中間回転数Ｎ１を使用することにより、次のギヤ段が投入される前において、次に高いギヤ段に対して計算された中間回転数Ｎ１までの間のみ機関回転数が最大に低下されることが達成される。これは、特に、ドライバによるギヤ段の選択が時間的に遅れるときに重要である。ここでドライバが次に低いギヤ段にシフトしたとき、得られた回転数偏差はより小さい。ドライバが次に高いギヤ段にシフトした場合、機関回転数は既に正しい回転数レベルにありかつより小さい補正を必要とするにすぎない。
【００４２】
アップシフトが検出された場合（分岐Ａ２）、すなわち、変速機入力回転数の勾配が適用可能な第２勾配しきい値より小さい場合、ステップＳ７において、目標回転数ｎＳｏｌｌはステップＳ２において決定された中間回転数Ｎ１を維持する。したがって、ギヤ段のアップシフトが検出されたとき、目標回転数ｎＳｏｌｌは継続して中間回転数Ｎ１を維持する。変速機入力回転数ｎＴｒａ＿ｉｎが上記の中間回転数Ｎ１に接近したときにはじめて、目標回転数ｎＳｏｌｌは実際の変速機入力回転数ｎＴｒａ＿ｉｎに等しく設定される。シフト過程が完了され、ドライバがクラッチ５の操作を解除し、これにより駆動系が閉鎖したとき直ちに、目標回転数ｎＳｏｌｌは低い値に低減しかつ最終的に０に設定され、これにより、回転数制御は非作動とされる。
【００４３】
ステップＳ６およびＳ７の次に、ステップＳ８において、クラッチが閉鎖されたか否かないしは駆動系を介しての摩擦結合が再び形成されたか否かの検査が続く。クラッチが再び閉鎖されたとき（分岐Ｊａ）にはじめて、方法はＳ１において継続可能である。他の場合（分岐Ｎｅｉｎ）、ステップＳ８においてさらに待機させられる。
【００４４】
ノイズのない変速機入力回転数の勾配データを得るために、変速機入力回転数ｎＴｒａ＿ｉｎは低域フィルタに通されてもよい。
ギヤ段のダウンシフトが検出されたとき、目標回転数ｎＳｏｌｌが直接変速機入力回転数ｎＴｒａ＿ｉｎに設定されるように設計されていてもよい。これにより制御偏差は急上昇するので、機関回転数制御装置もまた目標回転数をできるだけ急速に制御可能である。この場合、回転数制御の比例部分に対応する、制御偏差に比例依存した予制御が使用される。この予制御は、機関回転数が目標回転数に接近したとき直ちに中止されてもよい。回転数制御に対して、通常のＰＩ制御装置が使用されてもよく、この場合、積分器カウンタの過大な構成を阻止するために、大きな制御偏差においては、例えば積分部分のような対応要素は排除されるかまたは凍結される。積分器カウンタの排除は、機関回転数のより高い目標回転数への調節において過大振動に導くことがあるであろう。変速機入力回転数の信号内の高周波回転数信号を平滑化するために、適用可能な時間後に、または投入されたギヤ段が一義的に検出されたとき、目標回転数ｎＳｏｌｌは低域フィルタでフィルタリングされてもよい。
【００４５】
図３は、より低いギヤ段へのダウンシフトにおける種々の変数の線図を示す。機関回転数ｎ、変速機入力回転数ｎＴｒａ＿ｉｎ、変速機入力回転数の勾配ｄｎＴｒａ＿ｉｎ／ｄｔ、ダウンシフトを検出するための第１勾配しきい値ＳＷ１、内燃機関のシリンダ内への充填Ｆ、機関トルクＭ、ニュートラルギヤセンサ信号ＮＧＳ、クラッチ操作信号ＫＢおよびより低いギヤ段へのダウンシフト検出信号ＲＳＳの線図が示される。
【００４６】
時点Ｔ１以降、開放されたクラッチ５が検出され、したがって、目標回転数ｎＳｏｌｌは、０から、車両速度および変速機変速比に関して計算された中間回転数Ｎ１に設定され、中間回転数は、ドライバがクラッチを切り離した時点にギヤ段をアップシフトしたときに設定されることがわかる。同時に、内燃機関のシリンダ内への充填を上昇させるために、絞り弁が開放されてもよい。これが充填Ｆの線図においてわかる。
【００４７】
時点Ｔ２において、ドライバは新しいギヤ段を選択しているが、このことは、ニュートラルギヤセンサのセンサ信号ＮＧＳの低下側面により検出される。この時点以降、変速機入力回転数の勾配ｄｎＴｒａ＿ｉｎ／ｄｔが検査される。この勾配が正のしきい値を超えた場合、ダウンシフトが検出される。このとき、目標回転数ｎＳｏｌｌは直接変速機入力回転数ｎＴｒａ＿ｉｎに設定される。正の制御偏差により回転数制御は正の回転トルクを要求し、正の回転トルクは内燃機関のシリンダ内への上昇された充填により簡単に提供可能である。
【００４８】
クラッチ５が時点Ｔ３において再び閉鎖された場合、目標回転数ｎＳｏｌｌは適用可能な値に下方に制御されかつ最終的に０に設定される。
シフト過程後のクラッチの再結合においてドライバを支援するために、機関回転数ｎがいつから変速機入力回転数ｎＴｒａ＿ｉｎと同期化されているかが信号されてもよい。これにより、きわめて快適なクラッチの再結合が実現可能である。信号するために、視覚信号または音響信号が使用されてもよい。視覚信号を使用する場合、ドライバの視野内に記号が表示されてもよい。例えば、第１カラーで点灯する記号は、機関回転数ｎの、変速機入力回転数ｎＴｒａ＿ｉｎとの同期化が存在しないことを信号してもよい。この信号は、先にステップＳ２で表示されてもよい。このとき、クラッチの再結合は、低減された快適性を承知の上でのみ可能である。第２カラーで点灯する記号は、機関回転数ｎが同期化され、かつこのときドライバは、クラッチ５を、反力のないクラッチの再結合が保証されているように閉鎖することが可能であることを表示可能である。
【符号の説明】
【００４９】
１  駆動システム
２  駆動機関
３  被駆動系、駆動系、被駆動軸
４  クラッチ
５  ギヤ変速機、変速機
６  クラッチペダル
７  操作ユニット
８  駆動車輪
１０  機関制御ユニット、機関制御装置
１１  アクセルペダル
１２  ブレーキペダル
１３  ブレーキシステム
１４  変速機入力回転数センサ
１５  ニュートラルギヤセンサ
ｄｎＴｒａ＿ｉｎ／ｄｔ  変速機入力回転数の勾配
Ｆ  充填
ＫＢ  クラッチ操作信号
Ｍ  機関トルク
ｎ  機関回転数
ｎｓｏｌｌ、ｎＳｏｌｌ  目標回転数
ｎＴｒａ＿ｉｎ  変速機入力回転数
Ｎ１  中間回転数
ＮＧＳ  ニュートラルギヤセンサ信号
ＲＳＳ  ダウンシフト検出信号
ＳＷ１  第１勾配しきい値
Ｔ１、Ｔ２、Ｔ３  時点
【図１】
2019512637.tif 000003
【図２】
2019512637.tif 000004
【図３】
2019512637.tif 000005
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
駆動機関（２）がクラッチ（４）を介してギヤ変速機（５）と結合され、クラッチは駆動システム（１）の駆動系を開閉するように作動する、駆動機関（２）およびギヤ変速機（５）を有する駆動システムの運転方法において、
駆動系が開放されたとき、駆動機関（２）に対する回転数制御を操作（Ｓ３）するステップであって、回転数制御に、設定されるべきギヤ段に依存した、調節されるべき目標回転数（ｎｓｏｌｌ）が提供されるステップと、
ギヤ変速機（５）のニュートラルギヤ位置を離れている間に発生する変速機入力回転数（ｎＴｒａ＿ｉｎ）の勾配に依存して目標回転数（ｎｓｏｌｌ）を設定（Ｓ２）するステップと、
を含む、駆動システムの運転方法において、
前記目標回転数（ｎｓｏｌｌ）は、駆動系の開放時でかつギヤ変速機（５）のニュートラルギヤ位置を離れる前に、少なくとも１つのギヤ段だけアップシフトしたときの変速比および車両速度、特にニュートラルギヤ位置の投入時の実際車両速度から得られる回転数に対応する中間回転数（Ｎ１）に設定される、
駆動システムの運転方法。
【請求項２】
前記目標回転数（ｎｓｏｌｌ）は、ギヤ段のアップシフトが検出されたとき、ギヤ変速機（５）のニュートラルギヤ位置を離れた後に、変速機入力回転数（ｎＴｒａ＿ｉｎ）に、または変速機入力回転数（ｎＴｒａ＿ｉｎ）および中間回転数（Ｎ１）の最小値に設定される、請求項１に記載の方法。
【請求項３】
前記目標回転数（ｎｓｏｌｌ）は、ギヤ段のダウンシフトが検出されたとき、ギヤ変速機（５）のニュートラルギヤ位置を離れた後に、実際の変速機入力回転数（ｎＴｒａ＿ｉｎ）に設定される、請求項１または２に記載の方法。
【請求項４】
ニュートラルギヤ位置は、変速機入力と変速機出力の間にトルク結合が発生しないギヤ変速機（５）の位置に対応する、請求項１〜３のいずれか一項に記載の方法。
【請求項５】
前記変速機入力回転数（ｎＴｒａ＿ｉｎ）の勾配が所定の第１勾配しきい値を超えたとき、ギヤ段のダウンシフトが検出され、および／または、前記変速機入力回転数（ｎＴｒａ＿ｉｎ）の勾配が所定の第２勾配しきい値を下回ったとき、ギヤ段のアップシフトが検出される、請求項１〜４のいずれか一項に記載の方法。
【請求項６】
開放された駆動系において、第１信号により、機関回転数および変速機入力回転数（ｎＴｒａ＿ｉｎ）が同期化されていないことが信号され、および開放された駆動系において、第２信号により、機関回転数および前記変速機入力回転数（ｎＴｒａ＿ｉｎ）が同期化されていることが信号される、請求項１〜５のいずれか一項に記載の方法。
【請求項７】
第１信号は、特に第１カラーの１つの視覚指示を含み、および第２信号は、特に第２カラーの他のまたは同一視覚指示を含む、請求項６に記載の方法。
【請求項８】
駆動機関（２）がギヤ変速機（５）から切り離されている間、中断条件が存在したとき、特に駆動系が開放されている時間がしきい値を超えたとき、回転数制御が中断される、請求項１〜７のいずれか一項に記載の方法。
【請求項９】
駆動系の開放直後にシリンダ充填が上昇される、請求項１〜８のいずれか一項に記載の方法。
【請求項１０】
駆動機関（２）がクラッチ（４）を介してギヤ変速機（５）と結合され、クラッチ（４）は駆動システム（１）の駆動系を開閉するように作動する、駆動機関（２）およびギヤ変速機（５）を有する駆動システムの運転装置において、
請求項１〜９のいずれか一項に記載の方法を実行する、
ことを特徴とする駆動システムの運転装置。
【請求項１１】
駆動機関（２）と、
ギヤ変速機（５）と、
それを介して駆動機関（２）がギヤ変速機（５）と結合可能なクラッチ（４）と、
駆動機関（５）を制御する機関制御ユニット（１０）と、
請求項１０に記載の装置と、を含む駆動システム（１）。
【請求項１２】
請求項１〜９のいずれか一項に記載の方法を実行するプログラムコードを含むコンピュータプログラム。
【請求項１３】
請求項１２に記載のコンピュータプログラムが記憶されている、マシンが読取り可能な記憶媒体。
【国際調査報告】
2019512637.tif 000006
2019512637.tif 000007
2019512637.tif 000008
2019512637.tif 000009